【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
キー画像を表示する表示手段と、
前記表示手段により表示したキー画像が指示された場合に前記表示手段上の指示された位置の情報を検出して指示されたキー画像を判別する指示キー画像判別手段と、
前記指示キー画像判別手段により判別した指示キー画像に割り当てられた情報を入力する情報入力手段と、
を有する操作端末装置であって、
情報処理装置に接続するための接続手段と、
前記接続手段により接続した情報処理装置の有する情報処理の機能に基づいて前記情報処理の操作を行うために必要な必須操作キーを特定する必須操作キー特定手段と、
前記必須操作キー特定手段により特定した必須操作キーと前記情報処理装置の有する操作キーとを比較して差分の操作キーを特定する差分操作キー特定手段と、
前記差分操作キー特定手段により特定した差分操作キーにかかるキー画像を前記表示手段に表示する操作キー表示制御手段と、
を有することを特徴とする操作端末装置。
【請求項２】
前記情報処理装置から前記情報処理装置の有する情報処理の機能についての情報を受信する機能情報受信手段と、
前記情報処理装置から前記情報処理装置の有する操作キーについての情報を受信する操作キー情報受信手段とをさらに有し、
前記必須操作キー特定手段は、前記機能情報受信手段により受信した情報処理機能情報に基づいて前記必須操作キーを特定するものであり、
前記差分操作キー特定手段は、前記操作キー情報受信手段により受信した操作キー情報に基づいて前記差分操作キーを特定するものである、
請求項１に記載の操作端末装置。
【請求項３】
情報処理装置の型式ごとに情報処理装置の有する情報処理の機能についての情報を記録した機能情報記録手段と、
情報処理装置の型式ごとに情報処理装置の有する操作キーについての情報を記録した操作キー情報記録手段と、
前記情報処理装置から前記情報処理装置の型式についての情報を受信する型式情報受信手段とをさらに有し、
前記必須操作キー特定手段は、前記機能情報記録手段に記録された情報処理機能情報から前記型式情報受信手段により受信した型式情報により特定した前記情報処理装置の情報処理機能に基づいて前記必須操作キーを特定するものであり、
前記差分操作キー特定手段は、前記操作キー情報記録手段に記録された操作キー情報から前記型式情報により特定した前記情報処理装置の操作キーに基づいて前記差分操作キーを特定するものである、
請求項１に記載の操作端末装置。
【請求項４】
情報処理装置の型式ごとに情報処理装置の有する情報処理の機能についての情報を記録した機能情報記録手段と、
情報処理装置の型式ごとに情報処理装置の有する操作キーについての情報を記録した操作キー情報記録手段と、
前記情報処理装置の型式についての情報の入力を受ける型式情報入力手段とをさらに有し、
前記必須操作キー特定手段は、前記機能情報記録手段に記録された情報処理機能情報から前記型式情報入力手段により入力を受けた型式情報により特定した前記情報処理装置の情報処理機能に基づいて前記必須操作キーを特定するものであり、
前記差分操作キー特定手段は、前記操作キー情報記録手段に記録された操作キー情報から前記型式情報により特定した前記情報処理装置の操作キーに基づいて前記差分操作キーを特定するものである、
請求項１に記載の操作端末装置。
【請求項５】
情報処理の機能ごとに情報処理の操作を行うために必要な操作キーについての情報を記録した必須操作キー情報記録手段をさらに有し、
前記必須操作キー特定手段は、前記必須操作キー情報記録手段に記録された必須操作キー情報から前記情報処理機能情報に基づいて前記必須操作キーを特定するものである、
請求項２〜４のいずれか１項に記載の操作端末装置。
【請求項６】
前記情報処理装置は、画像処理装置である請求項１〜５のいずれか１項に記載の操作端末装置。
【請求項７】
キー画像を表示する表示手段と、
前記表示手段により表示したキー画像が指示された場合に前記表示手段上の指示された位置の情報を検出して指示されたキー画像を判別する指示キー画像判別手段と、
前記指示キー画像判別手段により判別した指示キー画像に割り当てられた情報を入力する情報入力手段と、
を有する操作端末装置の操作キー表示方法であって、
情報処理装置に接続する段階（１）と、
段階（１）で接続した情報処理装置の有する情報処理の機能に基づいて前記情報処理の操作を行うために必要な必須操作キーを特定する段階（２）と、
段階（２）で特定した必須操作キーと前記情報処理装置の有する操作キーとを比較して差分の操作キーを特定する段階（３）と、
段階（３）で特定した差分操作キーにかかるキー画像を前記表示手段に表示する段階（４）と、
を有することを特徴とする操作キー表示方法。
【請求項８】
前記情報処理装置から前記情報処理装置の有する情報処理の機能についての情報を受信する段階（５）と、
前記情報処理装置から前記情報処理装置の有する操作キーについての情報を受信する段階（６）とをさらに有し、
段階（２）は、段階（５）で受信した情報処理機能情報に基づいて前記必須操作キーを特定するものであり、
段階（３）は、段階（６）で受信した操作キー情報に基づいて前記差分操作キーを特定するものである、
請求項７に記載の操作キー表示方法。
【請求項９】
前記情報処理装置から前記情報処理装置の型式についての情報を受信する段階（７）をさらに有し、
段階（２）は、情報処理装置の型式ごとに情報処理装置の有する情報処理の機能についての情報を記録した機能情報記録手段に記録された情報処理機能情報から段階（７）で受信した型式情報により特定した前記情報処理装置の情報処理機能に基づいて前記必須操作キーを特定するものであり、
段階（３）は、情報処理装置の型式ごとに情報処理装置の有する操作キーについての情報を記録した操作キー情報記録手段に記録された操作キー情報から前記型式情報により特定した前記情報処理装置の操作キーに基づいて前記差分操作キーを特定するものである、
請求項７に記載の操作キー表示方法。
【請求項１０】
前記情報処理装置の型式についての情報の入力を受ける段階（８）をさらに有し、
段階（２）は、情報処理装置の型式ごとに情報処理装置の有する情報処理の機能についての情報を記録した機能情報記録手段に記録された情報処理機能情報から段階（８）で入力を受けた型式情報により特定した前記情報処理装置の情報処理機能に基づいて前記必須操作キーを特定するものであり、
段階（３）は、情報処理装置の型式ごとに情報処理装置の有する操作キーについての情報を記録した操作キー情報記録手段に記録された操作キー情報から前記型式情報により特定した前記情報処理装置の操作キーに基づいて前記差分操作キーを特定するものである、
請求項７に記載の操作キー表示方法。
【請求項１１】
段階（２）は、情報処理の機能ごとに情報処理の操作を行うために必要な操作キーについての情報を記録した必須操作キー情報記録手段に記録された必須操作キー情報から前記情報処理機能情報に基づいて前記必須操作キーを特定するものである、
請求項８〜１０のいずれか１つに記載の操作キー表示方法。
【請求項１２】
前記情報処理装置は、画像処理装置である請求項７〜１１のいずれか１つに記載の操作キー表示方法。
【請求項１３】
キー画像を表示する表示手段と、
前記表示手段により表示したキー画像が指示された場合に前記表示手段上の指示された位置の情報を検出して指示されたキー画像を判別する指示キー画像判別手段と、
前記指示キー画像判別手段により判別した指示キー画像に割り当てられた情報を入力する情報入力手段と、
を有する操作端末装置の操作キー表示プログラムであって、
情報処理装置に接続する手順（１）と、
手順（１）で接続した情報処理装置の有する情報処理の機能に基づいて前記情報処理の操作を行うために必要な必須操作キーを特定する手順（２）と、
手順（２）で特定した必須操作キーと前記情報処理装置の有する操作キーとを比較して差分の操作キーを特定する手順（３）と、
手順（３）で特定した差分操作キーにかかるキー画像を前記表示手段に表示する手順（４）と、
を操作端末装置に実行させることを特徴とする操作キー表示プログラム。
【請求項１４】
前記情報処理装置から前記情報処理装置の有する情報処理の機能についての情報を受信する手順（５）と、
前記情報処理装置から前記情報処理装置の有する操作キーについての情報を受信する手順（６）とをさらに操作端末装置に実行させるものであり、
手順（２）は、手順（５）で受信した情報処理機能情報に基づいて前記必須操作キーを特定するものであり、
手順（３）は、手順（６）で受信した操作キー情報に基づいて前記差分操作キーを特定するものである、
請求項１３に記載の操作キー表示プログラム。
【請求項１５】
前記情報処理装置から前記情報処理装置の型式についての情報を受信する手順（７）をさらに操作端末装置に実行させるものであり、
手順（２）は、情報処理装置の型式ごとに情報処理装置の有する情報処理の機能についての情報を記録した機能情報記録手段に記録された情報処理機能情報から手順（７）で受信した型式情報により特定した前記情報処理装置の情報処理機能に基づいて前記必須操作キーを特定するものであり、
手順（３）は、情報処理装置の型式ごとに情報処理装置の有する操作キーについての情報を記録した操作キー情報記録手段に記録された操作キー情報から前記型式情報により特定した前記情報処理装置の操作キーに基づいて前記差分操作キーを特定するものである、
請求項１３に記載の操作キー表示プログラム。
【請求項１６】
前記情報処理装置の型式についての情報の入力を受ける手順（８）をさらに操作端末装置に実行させるものであり、
手順（２）は、情報処理装置の型式ごとに情報処理装置の有する情報処理の機能についての情報を記録した機能情報記録手段に記録された情報処理機能情報から手順（８）で入力を受けた型式情報により特定した前記情報処理装置の情報処理機能に基づいて前記必須操作キーを特定するものであり、
手順（３）は、情報処理装置の型式ごとに情報処理装置の有する操作キーについての情報を記録した操作キー情報記録手段に記録された操作キー情報から前記型式情報により特定した前記情報処理装置の操作キーに基づいて前記差分操作キーを特定するものである、
請求項１３に記載の操作キー表示プログラム。
【請求項１７】
手順（２）は、情報処理の機能ごとに情報処理の操作を行うために必要な操作キーについての情報を記録した必須操作キー情報記録手段に記録された必須操作キー情報から前記情報処理機能情報に基づいて前記必須操作キーを特定するものである、
請求項１４〜１６のいずれか１つに記載の操作キー表示プログラム。
【請求項１８】
前記情報処理装置は、画像処理装置である請求項１３〜１７のいずれか１つに記載の操作キー表示プログラム。
【請求項１９】
請求項１３〜１８のいずれか１つに記載の操作キー表示プログラムを記録したコンピュータ読み取り可能な記録媒体。